(57)【要約】【課題】  簡単な構造であって、素人でも衛生的に絞り作業ができると共に作業後の清掃・移動・保管も容易にできるようにした袋入り粘稠物の絞り出し装置を提供する。【解決手段】  基台２と、該基台２に立設された一対の支柱３，３と、該一対の支柱３，３上端にその稜辺を上方に向けて橋設された角棒材４と、該角棒材４の斜め下方にあって前記支柱３、３のそれぞれから一側へ水平に突設した一対の腕杆５，５に前記角棒材４と平行して支承された丸棒材６と、該丸棒材６の直下にあって前記支柱３，３に一側端を懸吊されると共に他側端を揺動自在に垂下された樋状の平滑板７とからなる袋入り粘稠物の絞り出し台１とする。【選択図】図３
0003118570.tif 000002
【実用新案登録請求の範囲】
【請求項１】
基台と、該基台に立設された一対の支柱と、該一対の支柱の上端に橋設された角棒材と、該角棒材の斜め下方にあって前記支柱のそれぞれから一側水平方向へ突設した一対の腕杆に前記角棒材と平行して支承された丸棒材と、該丸棒材の直下にあって前記支柱に一側端を懸吊されると共に他側端を揺動自在に垂下された樋状の平滑板とからなることを特徴とする袋入り粘稠物の絞り出し台。
【請求項２】
前記角棒材はその稜辺を上方に向けて橋設してある請求項１記載の絞り袋入り粘稠物の絞り出し台。
【請求項３】
前記基台は絞り出し後の粘稠物受け入用の貯留槽の所定箇所と着脱自在に掛着してある請求項１又は２記載の袋入り粘稠物の絞り出し台。
【考案の詳細な説明】
【技術分野】
【０００１】  本考案は、袋入り粘稠物の絞り出し台に係り、詳しくは粘度の高い液状の食品、薬品、洗剤、化粧品、接着剤等を内容物とした可撓性の袋状容器から、内容物を手絞りで絞り出す際に用いる袋入り粘稠物の絞り出し台に関する。
【背景技術】
【０００２】  近年、金属や合成樹脂、複合紙等で製した缶体（容器）に袋状の容器を内蔵した構造のものが流通用あるいは工場等の業務用として広く使われている。特に食品工場においては２Ｋｇから３０Ｋｇ程の大容量に袋詰された高粘度の食品を袋から取り出し貯留槽等にいったん保管し、小容器に小分け充填（リパックともいう）したり、あるいは別食品の加工原料等に使用することが行われている。【０００３】  その場合、袋状容器から粘度の高い取り出す技法として、例えば、袋状容器の内容物の注出口を下向きにして容器ホルダーに吊るし、２本の棒又はローラーからなるしごき治具で挟み、これを下降させて内容物を注出する装置が特許文献１に記載されている。【０００４】  また、内容物を収容した可撓性の袋を破封すると共に袋を一対の足踏み式ローラーで挟み袋の底を引張り上げて内容物を絞り出す装置が特許文献２に提案されている。【０００５】
【特許文献１】実開平６−３００７７号公報
【特許文献２】特開平６−１５６４５５号公報
【考案の開示】
【考案が解決しようとする課題】
【０００６】  しかしながら、上記特許文献１に記載された装置は、装置の操作上、注出用コネクターを注出口に挿入したり、ローラーを操作することが必要とされ、素人には取扱上の手間や負担がかかるものであった。また、注出作業終了後の装置の洗浄にも面倒で時間がかかり能率が悪いものである。【０００７】また、特許文献２に記載の袋の内容物絞り出し装置は、この装置の移動や持ち運びには便利であるが、大量に内容物を容器へ絞り出しそのまま次工程へ供する食品工場用としては不適であり、また、内容物の絞り出し時に足の踏みつけ動作によってローラーで狭圧操作をすることから食品用の絞り装置とするには極めて不衛生であり、見た目の清潔感も乏しいものであった。【０００８】  本考案は、上記問題に鑑みなされたもので、簡易な構造で素人でも使い易く、袋内の粘稠性内容物を大量に無駄なく絞り出し処理できる粘稠物の絞り出し台であって、衛星上の問題もなく、作業終了後の清掃や絞り出し台の移動も簡単にできる粘稠物の絞り出し台を提供することを目的とする。
【課題を解決するための手段】
【０００９】  すなわち、本考案の粘稠物の絞り出し台は、基台と該基台に立設された一対の支柱と、該一対の支柱の上端に橋設された角棒材と、該角棒材の斜め下方にあって前記支柱のそれぞれから一側水平方向へ突設した一対の腕杆に前記角棒材と平行して支承された丸棒材と、該丸棒材の直下にあって前記支柱に一側端を懸吊され他側端を揺動自在に垂下された樋状の平滑板とからなることを特徴とする。【００１０】  このような構造にすることで、内容物が自重により取り出された後の袋は前記角棒材から丸棒材へ橋渡し状態に支持することができると共に角棒材側の表面を左手で角棒材に押しつけて右手で、袋の端を引張ることにより、内容物を袋開封部からしごき落すことができる。【００１１】  また、丸棒材の直下には樋状の平滑板が揺動自在に配設してあるので、この平滑板の他端側を絞り出された粘稠物の貯留槽の周縁に支持させることで、しごき落された内容物（粘稠物）は貯留槽へ滑入し貯留される。この際、前記角棒材その稜辺を上方に向けて橋設しておくと、袋に一層強力なしごき力を加えることができるので、袋の内容物を殆んど残すことなくしごき落すことができるのでよい（図２参照）。【００１２】  また、前記基台を貯留槽と連結自在な掛着部を具備した構造とすることで絞り出し台を貯留槽に任意に固定できると共に貯留槽から別個にとりはずして洗浄し保管することができるので、食品加工場を常に細菌汚染の無い衛生的な環境に維持できる。
【考案の効果】
【００１３】  本考案の袋入り粘稠物の絞り出し台は、角棒材の斜め下方に丸棒材を配設し、丸棒材の直下に一端側を支柱に懸吊され他端側を揺動自在に垂下された樋状の平滑板を配設した簡易構造としてあるので、平滑板の他端側を貯留槽に掛け渡し状態としておくことで、角棒材部で袋からしごき落された粘稠物はそのまま貯留槽内に貯えられ次工程へ供することができる。【００１４】  その際、本考案はその構造上粘稠物が絞り出されてこびり付く可能性のある箇所は丸棒材以外には殆んどないので極めて衛生的に絞り出し作業を続けることができると共に作業終了後の洗浄・保管を容易になし得る。また、絞り出し作業中に必要に応じてしごき作業を繰り返すことで袋内の残留粘稠物を完全に絞り出すことができる等の種々の効果を有する。
【考案を実施するための最良の形態】
【００１５】  以下、本考案袋入り粘稠物の絞り出し台を図面に示す実施の形態を参照して説明する。
【実施例】
【００１６】［実施例１］
図１は、本考案袋入り粘稠物の絞り出し台を連結した貯留槽に開封した袋から落下する粘稠物を手絞りして押出収容する状態の一実施例を示す斜視説明図であり、図２は本考案袋入り粘稠物の絞り出し台で手絞り後の袋内残留粘稠物をしごき落す状態の一実施例を示す斜視説明図である。また、図３は、本考案袋入り粘稠物の絞り出し台を貯留槽に掛着した状態の一実施例を示す側面説明図であり、図４は本考案に係る基台と貯留槽の掛着部の一実施例を示す斜視説明図である。【００１７】  図３において、本考案袋入り粘稠物の絞り出し台１は、基台２と、該基台２に立設された一対の支柱３，３と、該一対の支柱３，３の上端にその稜辺を上方に向けて橋設された角棒材４と、該角棒材４の斜め下方にあって前記支柱３、３のそれぞれから一側へ水平に突設した一対の腕杆５，５に前記角棒材４と平行して支承された丸棒材６と、該丸棒材６の直下にあって前記支柱３，３に一側端を懸吊され他側端を揺動自在に垂下された樋状の平滑板７とからなっている。【００１８】  本実施例においては、基台２、支柱３，３、腕杆５，５、角棒材４、及び平滑板７は全てステンレス鋼材で製してある。【００１９】  また、本実施例における袋入り粘稠物の絞り出し台１を使用に供する際は、基台２の掛着部８を貯留槽９へ係止ピン１０によって着脱自在に掛着してある。（図３と４参照）。【００２０】次に、本実施例の作用をその使用態様でもって説明する。ピーナツバタークリーム内容物Ａ２０Ｋｇ入り絞り袋１１の一端を開封して開封口からクリームを貯留槽９内へ落し込む（図１参照）。ある程度袋内のクリームが自然落下した後、袋ＡはクリームＡを残留したまま、開封口を下向きにして丸棒６と角棒材４に渡し掛けられる。次いで右手で袋Ａの一端を掴み左手のひらを袋Ａと角棒材４に押しつけると同時に右手を手前に引くことによって、袋１１内のクリームＡは角棒材４でしごかれ開封口から絞り出される。【００２１】  絞り出されたクリームＡは丸棒材６の直下にあって他側端を貯留槽９に跨乗させた樋状の平滑板７上に落下し、貯留槽９内へ滑入し貯留される。以後、貯留槽９が満杯になるまで次々に袋１１を開封し同様の作業を繰り返す。【００２２】  なお、絞り出し作業終了後は基台２の係止ピン１０（図４参照）を引き抜くことにより、絞り台１は貯留槽９からとりはずされ、取扱いの容易な構造で洗浄・保管される。
【図面の簡単な説明】
【００２３】
【図１】本考案袋入り粘稠物の絞り出し台を連結した貯留槽に袋の開封部から粘稠物を手絞りで落下させ収容する状態の一実施例を示す斜視説明図。
【図２】本考案袋入り粘稠物の絞り出し台で手絞り後の袋内残留粘稠物をしごき落す状態の一実施例を示す斜視説明図。
【図３】本考案袋入り粘稠物の絞り出し台を貯留槽に係着した状態の一実施例を示す側面説明図。
【図４】本考案に係る基台と貯留槽の掛着部の一実施例を示す斜視説明図。
【符号の説明】
１    袋入り粘稠物の絞り出し台
２    基台
３    支柱
４    角棒材
５    腕杆
６    丸棒材
７    平滑板
８    掛着部
９    貯留槽
１０  係止めピン
１１  袋
１２  貯留槽の蓋
Ａ    粘稠物
Ｍ    作業員
【図１】
0003118570.tif 000003
【図２】
0003118570.tif 000004
【図３】
0003118570.tif 000005
【図４】
0003118570.tif 000006